(57)【要約】【課題】本発明は、表裏から対向する一対のブラインドビアホールを形成することで容易にスルーホールと同様の機能を奏し、そのスルーホール機能部位への部品の実装ひいては高密度の配線設計が可能な多層プリント配線板を提供することを目的とする。【解決手段】本発明に係る多層プリント配線板は、第１導電層、第２導電層を有する第１プリント配線板と、第２導電層を有する第２プリント配線板とを備えている。第１プリント配線板と第２プリント配線板とは、基板接着層を挟んで接着されている。また、第１プリント配線板の第１導電層から表面側に表面側ブラインドビアホールを有し、第１導電層から裏面側に裏面側ブラインドビアホールを有している。裏面側ブラインドビアホールは、表面側ブラインドビアホールと平面視で重複する位置に配設されている。【選択図】図１
2014116428.tif 000002
【特許請求の範囲】
【請求項１】
第１導電層と、
この第１導電層の両面側に積層される一対の絶縁性基板と、
これらの一対の絶縁性基板の外面に積層される一対の第２導電層と、
上記第１導電層より表面側の積層体を貫通するよう充填される導電材料製の表面側ブラインドビアホールと、
この表面側ブラインドビアホールと平面視で重複する位置に配設され、上記第１導電層より裏面側の積層体を貫通するよう充填される導電材料製の裏面側ブラインドビアホールと
を備える多層プリント配線板。
【請求項２】
上記表面側ブラインドビアホール及び裏面側ブラインドビアホールが略円柱状である請求項１に記載の多層プリント配線板。
【請求項３】
上記表面側ブラインドビアホール及び裏面側ブラインドビアホールが外側に拡径する略円錐台状である請求項１に記載の多層プリント配線板。
【請求項４】
上記表面側ブラインドビアホール及び裏面側ブラインドビアホールの中心軸が単一直線上に位置する請求項２又は請求項３に記載の多層プリント配線板。
【請求項５】
上記表面側ブラインドビアホール及び裏面側ブラインドビアホールが電気メッキにより形成されている請求項１から請求項４のいずれか１項に記載の多層プリント配線板。
【請求項６】
上記表面側ブラインドビアホール及び裏面側ブラインドビアホールが導電粒子を含む導電性ペーストを硬化することで形成されている請求項１から請求項４のいずれか１項に記載の多層プリント配線板。
【請求項７】
上記絶縁性基板が可撓性を有する請求項１から請求項６のいずれか１項に記載の多層プリント配線板。
【請求項８】
第１導電層、この第１導電層の両面側に積層される一対の絶縁性基板及びこれらの一対の絶縁性基板の外面に積層される一対の第２導電層を備える多層構造体を用い、この多層構造体のうち第１導電層より表面側の積層体を貫通する表面側ブラインドビアホール用孔を形成する工程と、
この表面側ブラインドビアホール用孔と平面視で重複する位置に配設され、多層構造体のうち第１導電層より裏面側の積層体を貫通する裏面側ブラインドビアホール用孔を形成する工程と、
上記表面側ブラインドビアホール用孔及び裏面側ブラインドビアホール用孔に導電材料を充填する工程と
を有する多層プリント配線板の製造方法。
【発明の詳細な説明】
【技術分野】
【０００１】
本発明は、多層プリント配線板及びその製造方法に関する。
【背景技術】
【０００２】
多層プリント配線板は、集積回路、抵抗器、コンデンサー等の多数の電子部品を表面に固定し、その部品間を配線で接続するものである。この多層プリント配線板において、各導電層を電気的に接続する手段としてスルーホールが用いられる（特開２００８−２５１５７８号公報参照）。
【０００３】
このスルーホールは、多層プリント配線板を貫通する孔をドリルによる穿孔加工、レーザー加工、エッチング加工等により形成し、その貫通孔の内面にめっき処理を施すことにより作成される。
【先行技術文献】
【特許文献】
【０００４】
【特許文献１】特開２００８−２５１５７８号公報
【特許文献２】特開平５−８２９７７号公報
【特許文献３】特開２００２−６４２７４号公報
【発明の概要】
【発明が解決しようとする課題】
【０００５】
多層プリント配線板のスルーホールは、上述のように多層構造体を形成した後に、孔開け加工及び貫通孔へのメッキ処理が必要であるため、製造工程の増加を招き、製造コストの低減化という今日的要請に反する要因となっている。
【０００６】
また、上記従来のスルーホールは、一般的には貫通孔の内面をメッキ層が覆うだけであるため、穴が空いており、スルーホール周辺を部品実装のランドに使用することができない。そのため、多層プリント配線板においては、スルーホールの存在により配線設計の高密度化を阻害するという不都合がある。
【０００７】
一方、かかる不都合を回避する手段として、スルーホールの貫通孔に樹脂等を充填する技術も提案されているが（特開平５−８２９７７号公報参照）、更なる形成作業の煩雑化を招来する。
【０００８】
なお、多層プリント配線板において、外層とその内側の導体パターンを電気的に接続するためにブラインドビアホールが用いられている。このブラインドビアホールのランド部に部品を実装すべく、ブラインドビアホールをフィルドビアにすることが知られている（特開２００２−６４２７４号公報参照）。しかしながら、このブラインドビアホールは多層プリント配線板の外層とその内層の導体パターンを電気的に接続するだけであり、多層プリント配線板の外層の導電層同士又は全ての導電層同士を電気的に接続するものではない。
【０００９】
本発明は、上記のような不都合に鑑みてなされたものであり、表裏から対向する一対のブラインドビアホールを形成することで容易にスルーホールと同様の機能を奏し、そのスルーホール機能部位への部品の実装ひいては高密度の配線設計が可能な多層プリント配線板及びその製造方法を提供することを目的とする。
【課題を解決するための手段】
【００１０】
上記課題を解決するためになされた本発明に係る多層プリント配線板は、
第１導電層と、
この第１導電層の両面側に積層される一対の絶縁性基板と、
これらの一対の絶縁性基板の外面に積層される一対の第２導電層と、
上記第１導電層より表面側の積層体を貫通するよう充填される導電材料製の表面側ブラインドビアホールと、
この表面側ブラインドビアホールと平面視で重複する位置に配設され、上記第１導電層より裏面側の積層体を貫通するよう充填される導電材料製の裏面側ブラインドビアホールとを備える。
【００１１】
当該多層プリント配線板は、表面側ブラインドビアホール及び裏面側ブラインドビアホールが平面視で重複する位置に配設され、かつ第１導電層を介して接続されていることから、スルーホールを形成することなく、表裏の一対の第２導電層同士又は全ての導電層同士を表裏へのブラインドビアホールの形成という通常行う簡易な手段によって電気的に接続することができる。また、当該多層プリント配線板は、表面側ブラインドビアホールと裏面側ブラインドビアホールとが導電材料によって充填されていることから、両ブラインドビアホールの外面に孔が無く、スルーホールと同様の機能を奏する両ブラインドビアホールの外面に容易かつ確実に部品を実装することができ、その結果、配線設計の高密度化を図ることができる。
【００１２】
上記表面側ブラインドビアホール及び裏面側ブラインドビアホールは、略円柱状であるとよい。このような略円柱状のブラインドビアホールは容易に形成することができる。
【００１３】
また、上記表面側ブラインドビアホール及び裏面側ブラインドビアホールは、外側に拡径する略円錐台状であってもよい。この構成により、ブラインドビアホール用孔に導電材料を容易に充填することができ、形成容易性がさらに向上する。
【００１４】
一方、上記表面側ブラインドビアホール及び裏面側ブラインドビアホールの中心軸を単一直線上に位置させることが好ましい。このように、表面側ブラインドビアホール及び裏面側ブラインドビアホールの中心軸を一致させることで、上述の表面側ブラインドビアホール及び裏面側ブラインドビアホールによる全導電層間の導電性を高く維持することができる。
【００１５】
上記表面側ブラインドビアホール及び裏面側ブラインドビアホールは、電気メッキにより形成するとよい。かかる電気メッキによれば、容易かつ確実にブラインドビアホールの形成が可能であり、第１導電層及び第２導電層との電気的接合の信頼性が高いブラインドビアホールを形成することができる。
【００１６】
また、上記表面側ブラインドビアホール及び裏面側ブラインドビアホールは、導電粒子を含む導電性ペーストを硬化することで形成してもよい。このような導電性ペーストによれば、ブラインドビアホール用孔が比較的大きく又は深くても、容易かつ確実に充填することができる。
【００１７】
当該多層プリント配線板は、上記絶縁性基板が可撓性を有する構成を採用可能である。このような構成にすることにより、多層プリント配線板をフレキシブル基板とし、各導電層を電気的に接続し、かつ、部品を実装したときの部品との電気的接続の信頼性を高くすることができる。
【００１８】
また、上記課題を解決すべくなされた本発明に係る多層プリント配線板の製造方法は、
第１導電層、この第１導電層の両面側に積層される一対の絶縁性基板及びこれらの一対の絶縁性基板の外面に積層される一対の第２導電層を備える多層構造体を用い、この多層構造体のうち第１導電層より表面側の積層体を貫通する表面側ブラインドビアホール用孔を形成する工程と、
この表面側ブラインドビアホール用孔と平面視で重複する位置に配設され、多層構造体のうち第１導電層より裏面側の積層体を貫通する裏面側ブラインドビアホール用孔を形成する工程と、
上記表面側ブラインドビアホール用孔及び裏面側ブラインドビアホール用孔に導電材料を充填する工程と
を有する。
【００１９】
この製造方法によれば、上述の表裏に対向配設される一対のブラインドビアホールによってスルーホールと同様の機能を奏する多層プリント配線板を容易かつ確実に形成することができる。
【００２０】
なお、表面側ブラインドビアホールの中心軸及び裏面側ブラインドビアホールの中心軸とは、表面側ブラインドビアホール及び裏面側ブラインドビアホールそれぞれの重心点を通り、多層プリント配線板の表面に垂直な方向の軸のことをいう。
【発明の効果】
【００２１】
当該多層プリント配線板及びその製造方法は、表裏に対向する一対のブラインドビアホールを形成することでスルーホールと同様の機能を奏することができ、さらにそのスルーホール機能部位への部品の実装ひいては高密度の配線設計が可能となる。
【図面の簡単な説明】
【００２２】
【図１】図１は、本発明の一実施形態の多層プリント配線板を示す模式的端面図である。
【図２】図２は、図１の多層プリント配線板の製造方法を説明するための模式的端面図である。
【図３】図３は、本発明のその他の実施形態の多層プリント配線板を示す模式的端面図である。
【図４】図４は、本発明のその他の実施形態の多層プリント配線板を示す模式的端面図である。
【発明を実施するための形態】
【００２３】
以下、本発明に係る多層プリント配線板の実施形態について、図面を参照しつつ詳説する。
【００２４】
［多層プリント配線板］
図１の多層プリント配線板１は、第１導電層２と、この第１導電層の両面側に積層される一対の絶縁性基板３ａ、３ｂと、これらの一対の絶縁性基板３ａ、３ｂの外面に積層される一対の第２導電層４ａ、４ｂと、上記第１導電層２より表面側の積層体５ａを貫通するよう充填される導電材料製の表面側ブラインドビアホール６ａと、この表面側ブラインドビアホール６ａと平面視で重複する位置に配設され、上記第１導電層２より裏面側の積層体５ｂを貫通するよう充填される導電材料製の裏面側ブラインドビアホール６ｂとを備える。
【００２５】
具体的には、当該多層プリント配線板１は、表面側の第２導電層４ａ、表面側の絶縁性基板３ａ及び第１導電層２を有する多層基板７を有し、この多層基板７の裏面に裏面側の絶縁性基板３ｂ及び裏面側の第２導電層４ｂが積層された構造を有している。なお、上記多層基板７は、第１導電層２の裏面側にカバーレイ接着剤９ａを介して積層接着されるカバーレイフィルム９ｂを有している。また、当該多層プリント配線板１は、裏面側の絶縁性基板３ｂが接着剤層８を介して上記多層基板７（のカバーレイフィルム９ｂ）の裏面に積層接着されている。
【００２６】
上記表面側ブラインドビアホール６ａは、上記表面側の第２導電層４ａ及び表面側の絶縁性基板３ａを貫通するよう設けられ、上記裏面側ブラインドビアホール６ｂは、上記裏面側の第２導電層４ｂ、裏面側の絶縁性基板３ｂ、接着剤層８、カバーレイフィルム９ｂ、カバーレイ接着剤９ａを貫通するよう設けられている。
【００２７】
＜絶縁性基板＞
また、一対の絶縁性基板３ａ、３ｂは、可撓性を有し、このため当該多層プリント配線板１は、可撓性を有するフレキシブルプリント配線板として構成される。
【００２８】
上記一対の絶縁性基板３ａ、３ｂとしては、具体的には樹脂フィルムを採用可能である。この樹脂フィルムの材料としては、例えばポリイミド、ポリエチレンテレフタレートなどが好適に用いられる。
【００２９】
絶縁性基板３ａ、３ｂの平均厚さは、特に限定されるものではないが、５μｍ以上１００μｍ以下であることが好ましく、１０μｍ以上５０μｍ以下であることがより好ましい。絶縁性基板３ａ、３ｂの平均厚さが上記下限未満であると絶縁性基板３ａの強度が不十分となるおそれがあり、また上記上限を超えると薄型化の要請に反するおそれがある。
【００３０】
＜導電層＞
各導電層（第１導電層２及び一対の第２導電層４ａ、４ｂ）は、それぞれ所望の平面形状に形成された導電パターンを有している。ここで、各導電パターンは、絶縁性基板３ａ、３ｂに積層された金属層をエッチングすることによって所望の平面形状に形成される。各導電パターン（各導電層）は、導電性を有する材料で形成可能であるが、一般的には例えば銅によって形成される。この各導電パターン（各導電層）の平均厚みは、特に限定されるものではないが、２μｍ以上３０μｍ以下であることが好ましく、５μｍ以上２０μｍ以下であることがより好ましい。各導電パターンの平均厚みが上記下限未満であると導通性が不十分となるおそれがあり、また上記上限を超えると薄型化の要請に反するおそれがある。
【００３１】
（第２導電層）
表面側の第２導電層４ａの導電パターンは、表面側のブラインドビアホール６ａの形成箇所にランド部１０ａを有するとよい。このランド部１０ａ（以下、第１ランド部ということがある）は、外形（外周縁）が略円形に形成され、中央に平面視略円形の表面側ブラインドビアホール用孔１１ａを構成する貫通孔を有しており、全体として平面視円環状に設けられている。第１ランド部１０ａの外周縁及び内周縁は同心状に形成されている。この貫通孔は、上記絶縁性基板３ａにも連続し、全体として表面側ブラインドビアホール用孔１１ａを構成している。なお、「略円形」とは、外縁の８５％以上が円弧であり、その円弧の中心からの平均距離（平均半径）と、円弧状の各点における半径との比が８５％以上１１５％以内であることを意味する。
【００３２】
裏面側の第２導電層の４ｂの導電パターンも、裏面側のブラインドビアホール６ｂの形成箇所にランド部１０ｂ（以下、第２ランド部１０ｂということがある）を有するとよい。この第２ランド部１０ｂは、上記第１ランド部１０ａと略同一形状に設けられている。また、第２ランド部１０ｂは、第１ランド部１０ａと平面視重複する位置、具体的には平面視同一位置に設けられている。また、第２ランド部１０ｂの貫通孔も、裏面側ブランドビアホール用孔１１ｂを構成し、この貫通孔は、上記絶縁性基板３ｂ、接着剤層８、カバーレイフィルム９ｂ及びカバーレイ接着剤９ａにも連続し、全体として裏面側ブラインドビアホール用孔１１ｂを構成している。
【００３３】
なお、表面側及び裏面側の第２導電層４ａ、４ｂの導電パターンは、上記ランド部１０ａ、１０ｂ以外に、他のランド部（図示省略）を有している。この他のランド部は、それぞれ後述する第１導電層２の導電パターンのランド部（図示省略）と電気的接続を行うものであり、この表面側の他のランド部と、裏面側の他のランド部とは、平面視異なる位置に設けられている。
【００３４】
（第１導電層）
上記第１導電層２の導電パターンは、表面側ブラインドビアホール用孔１１ａ及び裏面側ブラインドビアホール用孔１１ｂを区画する区画壁部２ａを有している。つまり、この区画壁部２ａは、表面側ブラインドビアホール用孔１１ａの底を構成するとともに、裏面側ブランイドビアホールメ用孔１１ｂの蓋を構成している。具体的には、この区画壁部２ａは、表面側ブラインドビアホール用孔１１ａ及び裏面側ブラインドビアホール用孔１１ｂよりも外径が大きく、その外形が平面視表面側ブラインドビアホール用孔１１ａ及び裏面側ブラインドビアホール用孔１１ｂを囲繞するよう設けられている。この区画壁部２ａは、外形が略円形に設けられ、具体的には第１ランド部１０ａ及び第２ランド部１０ｂと同心状に配設されている。なお、区画壁部２ａの外径は特に限定されるものではないが、第１ランド部１０ａ及び第２ランド部１０ｂよりも大きく設けることが可能である。
【００３５】
なお、第１導電層２の導電パターンは、上記区画壁部２ａ以外に、複数のランド部（図示省略）とこのランド部が接続される配線を有しており、この第１導電層２のランド部は上述した第２導電層４ａ、４ｂにおける他のランド部とブラインドビアホール（図示省略）を介して電気的に接続されている。
【００３６】
（表面側ブラインドビアホール）
表面側ブラインドビアホール６ａは、上記表面側ブラインドビアホール用孔１１ａ内に充填された導電材料を有し、このため第１ランド部１０ａ（表面側の第２導電層４ａ）と区画壁部２ａ（第１導電層２）との電気的導通状態が得られる。この表面側ブラインドビアホール６ａは絶縁性基板３ａと第２導電層４ａを貫通し、全体して略円柱状に形成されている。表面側ブラインドビアホール６ａの底面は、区画壁部２ａと接面しており、これにより表面側ブラインドビアホール６ａと第１導電層２（の区画壁部２ａ）との電気的導通状態が得られている。また、表面側ブラインドビアホール６ａの側壁は第１ランド部１０ａと接面し、これにより表面側ブラインドビアホール６ａと第１ランド部４ａとの電気的導通状態が得られている。なお、「略円柱状」とは、上面及び下面がそれぞれ略円形であり、上面と下面との平均半径の比が８５％以上１１５％以内である柱状体を意味する。
【００３７】
表面側ブラインドビアホール６ａは、例えば電気メッキにより表面側ブラインドビアホール用孔１１ａ内に導電材料である金属を充填することで好適に形成することができる。この金属としては一般に銅が用いられる。電気メッキによれば、容易かつ確実にブラインドビアホールの形成が可能であり、第１導電層と表面側の第２導電層との電気的接合の信頼性が高いブラインドビアホールを形成することができる。
【００３８】
表面側ブラインドビアホール６ａの直径としては、特に限定されるものではないが、１５μｍ以上１５０μｍ以下が好ましく、２５μｍ以上１２０μｍ以下がより好ましく、３５μｍ以上１００μｍ以下がさらに好ましい。表面側ブラインドビアホール６ａの直径が上記下限未満の場合、導電材料を表面側ブラインドビアホール用孔１１ａに充填することが困難となるおそれや、表面側ブラインドビアホール６ａと区画壁部２ａとの接続強度が十分得られないおそれがある。逆に、表面側ブラインドビアホール６ａの直径が上記上限を超える場合、表面側ブラインドビアホール用孔１１ａの充填に過大な量の導電材料が必要となるおそれがある。なお、表面側ブラインドビアホール６ａの直径とは、絶縁性基板３ａと第２ランド部１０ａとの積層面を含む仮想平面における表面側ブラインドビアホール６ａの断面の平均径を意味する。
【００３９】
（裏面側ブラインドビアホール）
裏面側ブラインドビアホール６ｂは、上記裏面側ブラインドビアホール用孔１１ｂ内に充填された導電材料を有し、このため第２ランド部１０ｂと区画壁部２ａとの電気的導通状態が得られる。この裏面側ブラインドビアホール６ｂは、カバーレイ接着剤９ａ、カバーレイフィルム９ｂ、接着剤層８、絶縁性基板３ｂ及び第２導電層４ｂを貫通し、全体として略円柱状に形成されている。裏面側ブラインドビアホール６ｂの天面部は、区画壁部２ａと接面しており、これにより裏面側ブラインドビアホール６ｂと第１導電層２（の区画壁部２ａ）との電気的導通状態が得られている。また、裏面側ブラインドビアホール６ｂの側壁は第２ランド部１０ｂと接面し、これにより裏面側ブラインドビアホール６ｂと第２ランド部１０ｂとの電気的導通状態が得られている。なお、「略円柱状」の意義は、表面側ブラインドビアホール６ａと同様である。
【００４０】
裏面側ブラインドビアホール６ｂも、表面側ブラインドビアホール６ａと同様、例えば電気メッキにより表面側ブラインドビアホール用孔１１ａ内に導電材料である金属を充填することで好適に形成することができ、また直径等も表面側ブラインドビアホール６ａと同様のものを採用できる。このため、ここでの説明を省略する。
【００４１】
なお、当該多層プリント配線板１は、上述した表面側ブラインドビアホール６ａ及び裏面側ブラインドビアホール６ｂ以外にも、他のブラインドビアホール（図示省略）を有しており、この他のブラインドビアホールは、上述の第１導電層２の導電パターンのランド部と第２導電層における他のランド部とを電気的に接続している。
【００４２】
（接着層）
上記接着層８を構成する接着剤としては、特に限定されるものではないが、柔軟性や耐熱性にすぐれたものが好ましく、かかる接着剤としては、例えば、ナイロン系、エポキシ樹脂系、ブチラール樹脂系、アクリル樹脂系などの各種の樹脂系の接着剤が挙げられる。
【００４３】
（カバーレイフィルム）
カバーレイフィルム９ｂとしては、特に限定されるものではないが、上述の絶縁性基板３ａを構成する樹脂フィルムと同様のものを使用することができる。このカバーレイフィルム９ｂの平均厚みは、特に限定されるものではないが、５μｍ以上２５μｍ以下であることが好ましく、１０μｍ以上１２．５μｍ以下であることがより好ましい。カバーレイフィルム９ｂの平均厚みが上記下限未満であると絶縁性が不十分となるおそれがあり、また上記上限を超えるとフレキシブル性を損なうおそれがある。
【００４４】
また、カバーレイ接着層９ａを構成する接着剤としては、特に限定されるものではないが、柔軟性や耐熱性に優れたものが好ましく、かかる接着剤としては、例えば、ナイロン系、エポキシ樹脂系、ブチラール樹脂系、アクリル樹脂系などの、各種の樹脂系の接着剤が挙げられる。
【００４５】
［多層プリント配線板の製造方法］
上記構成からなる当該多層プリント配線板１の製造方法については特に限定されるものではないが、例えば以下の製造方法によって製造することができる。つまり、当該多層プリント配線板１の製造方法としては、第１導電層２、この第１導電層２の両面側に積層される一対の絶縁性基板３ａ、３ｂ及びこれらの一対の絶縁性基板３ａ、３ｂの外面に積層される一対の第２導電層４ａ、４ｂを備える多層構造体１２を用い、この多層構造体１２のうち第１導電層２より表面側の積層体５ａを貫通する表面側ブラインドビアホール用孔１１ａを形成する工程（表面側ブラインドビアホール用孔形成工程）、この表面側ブラインドビアホール用孔１１ａと平面視で重複する位置に配設され、多層構造体１２のうち第１導電層２より裏面側の積層体５ｂを貫通する裏面側ブラインドビアホール用孔１１ｂを形成する工程（裏面側ブラインドビアホール用孔形成工程）、及び上記表面側ブラインドビアホール用孔及び裏面側ブラインドビアホール用孔に導電材料を充填する工程（充填工程）を有する製造方法を採用可能である。
【００４６】
さらに、当該製造方法は、まず表面側ブラインドビアホール用孔１１ａ及び裏面側ブラインドビアホール用孔１１ｂを形成する多層構造体１２を作成する工程を有するとよい。
【００４７】
＜多層構造体作成工程＞
この多層構造体作成工程において、第１導電層２、この第１導電層の両面側に積層される一対の絶縁性基板３ａ、３ｂと、これらの一対の絶縁性基板３ａ、３ｂの外面に積層される一対の第２導電層４ａ、４ｂとを有する多層構造体を作成する。この多層構造体作成工程は、第１導電層２の導電パターンを形成する工程と、裏面側の第２導電層４ｂの積層する工程とを有する。
【００４８】
（第１導電層の導電パターン形成工程）
この第１導電層の導電パターン形成工程においては、まず図２（ａ）に示すように絶縁性基板３ａの両面に導電層２、４ａが積層された積層体を用意し、図２（ｂ）に示すようにこの積層体の裏面の導電層（第１導電層２）に導電パターンを形成する。なお、導電層２、４ａを絶縁性基板３ａに積層する方法としては特に限定されず、例えば金属箔（導電層）を接着剤で貼り合わせる接着法、金属箔上に絶縁性基板の材料である樹脂組成物を塗布するキャスト法、金属箔を熱プレスで貼り付けるラミネート法等を用いることができる。また、導電パターンの形成手法も特に限定されず従来公知の例えばエッチング法等を採用できる。
【００４９】
なお、この導電パターン形成工程において、上記区画壁部２ａが形成されるとともに、上述の複数のランド部及び配線が形成されている。
【００５０】
（裏面側の第２導電層積層工程）
裏面側の第２導電層積層工程は、まず上述のように導電パターンが形成された第１導電層の外面（裏面）に図２（ｃ）に示すようにカバーレイフィルム９ｂを積層する工程を有する。ここで、カバーレイフィルム９ｂは、カバーレイ接着剤９ａを介して第１導電層（及び絶縁性基板３ａ）の外面（裏面）に積層接着される。
【００５１】
そして、このカバーレイフィルム９ｂの外面（裏面）に、一方の面（裏面）に第２導電層４ｂが積層形成された他の絶縁性基板３ｂを、接着層８を介して積層接着し、これにより裏面側の第２導電層４ｂが積層される。以上のようにして、上記多層構造体が作成されることになる。
【００５２】
＜ブラインドビアホール用孔形成工程＞
上記表面側ブラインドビアホール用孔形成工程と裏面側ブラインドビアホール用孔形成工程とは、別々に行うことも可能であるが、後述するように同時並行して行うことも可能である。
【００５３】
つまり、第２導電層４ａ、４ｂの外面にそれぞれブラインドビアホール用孔１１ａ、１１ｂの形成箇所に図２（ｅ）に示すように開口を形成する。ここで、この開口の形成手法は特に限定されず、例えば従来公知のエッチングによって形成することができる。
【００５４】
そして、上記のように開口が形成された後に図２（ｆ）に示すように、ブラインドビアホール用孔１１ａ、１１ｂを形成する。このブラインドビアホール用孔１１ａ、１１ｂの形成手法は特に限定されるものではないが、例えば第２導電層４ａ、４ｂをマスクパターンとして上記多層構造体に表裏からレーザ光を照射し、ブラインドビアホール用孔１１ａ、１１ｂを形成する方法を採用できる。なお、レーザ光としては、ＣＯ２レーザやＹＡＧレーザを用いることができる。また、レーザ光の照射の後にデスミアすることによって残渣の除去を行うとよい。
【００５５】
なお、このブラインドビアホール用孔形成工程において、上述のようなブラインドビアホール用孔１１ａ、１１ｂが形成されるとともに、上述した他のブラインドビアを構成する導電材料を充填するためのビア孔も形成される。
【００５６】
＜充填工程＞
充填工程において、上記のように形成された表面側及び裏面側ブラインドビアホール用孔１１ａ、１１ｂに図２（ｇ）に示すように導電材料を充填することで、表面側及び裏面側ブラインドビアホール６ａ、６ｂを形成する。この導電材料の充填は、電気メッキにより行うことができ、これにより図２（ｇ）に示すように表面側ブラインドビアホール用孔１１ａ、裏面側ブラインドビアホール用孔１１ｂに金属が充填されると共に、第２導電層４ａ及び第２導電層４ｂのそれぞれの外面に金属メッキがなされる。
【００５７】
上記電気メッキは具体的には、硫酸銅メッキ液中に多層構造体１２を浸して電流を供給する方法で行われる。この硫酸銅メッキ液中には、促進剤等の添加剤が含有されていることが望ましい。
【００５８】
なお、この充填工程において、上述のようなブラインドビアホール６ａ、６ｂが形成されるとともに、上述したビア孔にも導電材料が充填されることで他のブラインドビアホールも形成される。
【００５９】
＜第２導電層の導電パターン形成工程＞
さらに、当該製造方法は、上記充填工程の後に、第２導電層４ａ、４ｂにそれぞれ導電パターンを形成する工程を有する。この導電パターンの形成手法としては、特に限定されるものではないが、例えばエッチング法を採用することができる。なお、この導電パターンの形成工程にあっては、第２導電層の一部が除去されるとともに、この除去される外面に積層される金属メッキも除去される。
【００６０】
［利点］
当該多層プリント配線板１は、表面側ブラインドビアホール６ａと裏面側ブラインドビアホール６ｂとが平面視同一箇所に配設されているので、スルーホールを形成することなく、表裏の一対の第２導電層４ａ、４ｂを電気的に接続することができる。
【００６１】
また、上記表面側ブラインドビアホール６ａと裏面側ブラインドビアホール６ｂとは、他のブラインドビアホールの形成と同時に行うことができるので、容易かつ確実に上記表裏の一対の第２導電層４ａ、４ｂの電気的接続が得られる。なお、従来のように表裏面の導電層同士を電気的に接続するためにスルーホールを用いる場合、スルーホールを電気メッキで形成するが、このスルーホールの電気メッキの条件は、ブラインドビアホールの電気メッキの条件と異なるので、例えブラインドビアホールを電気メッキで形成するとしても、スルーホールの形成とブラインドビアホールの形成とは異なる手順でそれぞれ電気メッキを行わなければならない。一方、当該多層プリント配線板にあっては、上記スルーホール代用のための表面側ブランドビアホール６ａ及び裏面側ブラインドビアホール６ｂの形成と、上述のように第一導電層のランド部と第二導体層の他のランド部とを電気的接続するための他のブラインドビアホールの形成とを同一工程で行うことができるので、製造工程を少なくすることができる。ブラインドビアホールを電気メッキで形成せずに、導電性ペーストで形成する場合にも、一緒に行うことができる。
【００６２】
また、当該多層プリント配線板１は、表面側ブラインドビアホール６ａと裏面側ブラインドビアホール６ｂとが導電材料によって充填されていることから、両ブラインドビアホールの外面に孔が無く、スルーホールと同様の機能を奏する両ブラインドビアホールの外面に容易かつ確実に部品を実装することができ、その結果、配線設計の高密度化を図ることができる。
【００６３】
また、当該多層プリント配線板１の表面側ブラインドビアホール６ａ及び裏面側ブラインドビアホール６ｂは略円柱状になっている。このような略円柱状のブラインドビアホールは容易に形成することができる。ブラインドビアホールの断面が略円状となることで、導電材料の充填の偏りを減らしてブラインドビアホールの表面に形成される凹みを小さくすることができる。凹みが小さいことにより、実装した部品とブラインドビアホールの表面との隙間が小さくなり、部品との電気的接続の信頼性が高くなる。
【００６４】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００６５】
つまり、上記実施形態においては、表面側ブラインドビアホール６ａ及び裏面側ブラインドビアホール６ｂが略円柱状としたが、ブラインドビアホールの形状は特に限定されるものではない。例えば図３に示すように表面側ブラインドビアホール６ａ及び裏面側ブラインドビアホール６ｂが外側に拡径する略円錐台状であってもよく、このように略円錐台状に設けることでブラインドビアホール用孔に導電材料を容易に充填することができ、形成容易性がさらに向上する。具体的には、ブラインドビアホールに導電材料を電気メッキにより充填する場合には、メッキ液がブラインドビアホール用孔に循環し易い。また、ブラインドビアホールに導電材料を導電性ペーストにより充填する場合には、導電性ペーストがブラインドビアホール用孔に入り易い。このことにより、ブラインドビアホールに導電材料を容易に充填することができる。
【００６６】
また、上記実施形態においては、表面側ブラインドビアホール６ａ及び裏面側ブラインドビアホール６ｂの中心軸が単一直線上に位置する構成であったが、裏面側ブラインドビアホール６ｂが、表面側ブラインドビアホール６ａと平面視で重複する位置に配設されていれば良く、両者の中心軸にずれがあるものでも採用可能である。但し、上記のように表面側ブラインドビアホール６ａ及び裏面側ブラインドビアホール６ｂの中心軸を一致させることで、上述の表面側ブラインドビアホール６ａ及び裏面側ブラインドビアホール６ｂによる全導電層間の導電性を高く維持することができる。なお、表面側ブラインドビアホールと裏面側ブラインドビアホールとが両者の中心軸にずれがある場合には、表面側ブラインドビアホールと裏面側ブラインドビアホールとの平面視の重複範囲が、表面側ブラインドビアホール及び裏面側ブラインドビアホールのうち平面視の面積が小さいビアホールの面積の１／４以上であることが好ましく、１／３以上であることがより好ましく、１／２以上であることがさらに好ましい。これにより、表面側ブラインドビアホール、第１導電層及び裏面側ブラインドビアホールによって、表裏の第２導電層同士の確実な電気的接続が得られる。
【００６７】
また、上記実施形態においては、カバーレイ接着層９ａ及びカバーレイフィルム９ｂを備えるものについて説明したが、図４に示すようにカバーレイ接着層とカバーレイフィルムを貼り付けずに第２プリント配線板７ｂを積層する構成としてもよい。
【００６８】
また、上記実施形態においては、多層プリント配線板の一実施の形態としてフレキシブルプリント配線板を例にとり説明したが、本発明の範囲はこれに限定されるものではない。また、当該多層プリント配線板としては、リジッドプリント配線板を採用することも可能である。また、当該両面プリント配線板は、フレキシブルプリント配線板とリジッドプリント配線板とを一体化したリジッドフレキシブルプリント配線板や多層構造のビルドアップ基板等に採用することも可能である。さらには、複数の第１導電層を設け、この第１導電層同士が平面視互いに重なり合うよう配設された構造を採用することも可能である。
【００６９】
また、上記実施形態においては、表面側ブラインドビアホール６ａ及び裏面側ブラインドビアホール６ｂが電気メッキにより形成されているものについて説明したが、表面側ブラインドビアホール６ａ及び裏面側ブラインドビアホール６ｂが導電粒子を含む導電性ペーストを硬化することで形成されている構成としてもよい。このような導電性ペーストによれば、ブラインドビアホール用孔が比較的大きく又は深くても、容易かつ確実に充填することができる。
【００７０】
さらに、上記実施形態においては、表面側ブラインドビアホール６ａ及び裏面側ブラインドビアホール６ｂを同一の形成材料（銅）から形成しているものについて説明したが、両者を異なる素材から構成することも可能である。但し、上記実施形態のように表面から裏面にかけて連続する部材（表面側ブラインドビアホール６ａ、第１導電層２及び裏面側ブラインドビアホール６ｂ）を同一の形成材料から形成することで、接続信頼性が増すばかりか接続抵抗の変動も少ない。
【産業上の利用可能性】
【００７１】
本発明は、例えばフレキシブル性が求められる多層プリント配線板として好適に用いることができる。
【符号の説明】
【００７２】
１  多層プリント配線板
２  第１導電層
３ａ、３ｂ  絶縁性基板
４ａ、４ｂ  第２導電層
５ａ、５ｂ  積層体
６ａ  表面側ブラインドビアホール
６ｂ  裏面側ブラインドビアホール
１２  多層構造体
【図１】
2014116428.tif 000003
【図２】
2014116428.tif 000004
【図３】
2014116428.tif 000005
【図４】
2014116428.tif 000006